(57)【要約】【課題】  ボタン部の操作性が良いキャップを得る。【解決手段】  押圧部３０には、注出口２８側に弾性圧潰部４８を設け、注出口２８の反対側にヒンジ部５０を設けている。これにより、弾性圧潰部４８と注出口２８は押圧部３０の同じ側に位置することとなる。このため、ボタン部４６を押圧すると、ヒンジ部５０を回転中心として押圧部３０が回転すると共に、弾性圧潰部４８が弾性変形する。つまり、本発明では、押圧部３０において、指先によって力が負荷される側を弾性変形させるようにしているため、指先によって力が負荷される方向と押圧部３０が弾性変形する方向とが同じになる。このため、ボタン部４６を違和感なく操作することができ、操作性が良い。【選択図】    図１
2006123998.tif 000002
【特許請求の範囲】
【請求項１】
容器の口部に取付けられ口部を覆う筒状の本体部と、
前記本体部の上面に設けられた筒部と、
前記筒部の上面に設けられ、押圧されると弾性変形して前記容器内を加圧する押圧部と、
前記筒部に設けられ、前記押圧部により前記容器内が加圧されると液体を注出する注出口と、
を備え、
前記押圧部が、
前記注出口側に位置し、前記ボタン部が押圧されると弾性変形する弾性圧潰部と、
前記注出口の反対側に位置し、前記ボタン部を押圧したとき、押圧部の回転中心となるヒンジ部と、
を有することを特徴とするキャップ。
【請求項２】
前記弾性圧潰部は、略階段状に設けられ、上部環状壁及び下部環状壁と前記上部環状壁と前記下部環状壁を繋ぐ縦壁とからなり、前記縦壁は、前記ヒンジ部から前記注出口へ掛けて徐々に高くなっていることを特徴とする請求項1に記載のキャップ。
【請求項３】
前記注出口から液体が注出する方向に対して直交する方向に沿って前記ヒンジ部が形成されたことを特徴とする請求項1又は２に記載のキャップ。
【請求項４】
前記押圧部の左右方向の倒れを防止する倒れ防止壁が、前記ヒンジ部に並行してヒンジ部の裏面に形成されたことを特徴とする請求項１〜３の何れか１項に記載のキャップ。
【請求項５】
前記押圧部は、前記ヒンジ部から前記弾性圧潰部に掛けて略長円状のドーム型を成していることを特徴とする請求項１〜４の何れか１項に記載のキャップ。
【請求項６】
前記上部環状壁及び前記下部環状壁の幅寸法は、前記縦壁の高さよりも大きいことを特徴とする請求項２〜５の何れか１項に記載のキャップ。
【発明の詳細な説明】
【技術分野】
【０００１】
本発明は、容器の口部に取付けられるキャップに関する。
【背景技術】
【０００２】
通常、ラー油等の液体調味料が充填された容器の口部に嵌められるキャップの上面には、押圧部が設けられており、この押圧部を押圧することで、容器内の液体調味料が注出口から注出するようになっている。
【０００３】
例えば、特許文献１では、図７（Ａ）に示すように、キャップ本体１００の上面に設けられた押圧部１０２は、注出口１０４の基部側に繋がる先端部分１０２Ａは、注出口１０４の基部側が最も薄く（最薄部Ｏ）、そこから徐々に肉厚を厚くするテーパー状とされ、所定の肉厚で略円筒形状のボタン部１０２Ｂに繋がっている。また、筒部１０６に繋がっている押圧部１０２の後端部分１０２Ｃは、断面視にて略階段状とされており、筒部１０６及びボタン部１０２Ｂよりも薄肉とされている。
【０００４】
これにより、手で容器を持った状態でボタン部１０２Ｂを押圧する（矢印Ａ方向）と、押圧部１０２は先端部分１０２Ａの最薄部Ｏを支点とする回転モーメントが負荷され、段形状の後端部分１０２Ｃが図７（Ｂ）に示すように屈曲変形し、後方側が下方へと沈み込む。
【０００５】
つまり、ボタン部１０２Ｂを押圧する方向（矢印Ａ方向）と、ボタン部１０２Ｂの変形方向（矢印Ｂ方向）とが逆の方向となってしまう。このため、ボタン部１０２Ｂを操作しづらく、ボタン操作によって容器の保持を阻害することとなる。
【特許文献１】特開２００１−２０６４１４号公報
【発明の開示】
【発明が解決しようとする課題】
【０００６】
本発明は上記事実を考慮して、ボタン部の操作性が良いキャップを提供することを課題とする。
【課題を解決するための手段】
【０００７】
本発明は、上記構成としたので、請求項１に記載の発明は、キャップにおいて、容器の口部に取付けられ口部を覆う筒状の本体部と、前記本体部の上面に設けられた筒部と、前記筒部の上面に設けられ、押圧されると弾性変形して前記容器内を加圧する押圧部と、前記筒部に設けられ、前記押圧部により前記容器内が加圧されると液体を注出する注出口と、を備え、前記押圧部が、前記注出口側に位置し、前記ボタン部が押圧されると弾性変形する弾性圧潰部と、前記注出口の反対側に位置し、前記ボタン部を押圧したとき、押圧部の回転中心となるヒンジ部と、を有することを特徴としている。
【０００８】
請求項１に記載の発明では、容器の口部に取付け該口部を覆うキャップの本体部の上面には筒部を設けており、この筒部の上面には押圧部を設けている。この押圧部を押圧すると押圧部は弾性変形して容器内が加圧される。また、筒部には注出口を設けており、押圧部により容器内が加圧されると注出口から液体が注出される
ここで、押圧部には、注出口側に弾性圧潰部を設け、注出口の反対側にヒンジ部を設けており、弾性圧潰部と注出口は押圧部の同じ側に位置することとなる。ボタン部を押圧すると、ヒンジ部を回転中心として押圧部が回転すると共に、弾性圧潰部が弾性変形する。
【０００９】
押圧部を押圧するとき、通常、注出口側に力が入るように押圧部を指先で押圧する。このとき、押圧部の注出口側に位置する弾性圧潰部が弾性変形して容器内の液体を加圧し、注出口から液体を注出させる。
【００１０】
つまり、力が負荷される領域を弾性変形させるようにしているため、力が負荷される方向と押圧部が弾性変形する方向とが同じになる。このため、押圧部を違和感なく操作することができ、操作性が良い。
【００１１】
請求項２に記載の発明は、請求項1に記載のキャップにおいて、前記弾性圧潰部は、略階段状に設けられ、上部環状壁及び下部環状壁と前記上部環状壁と前記下部環状壁を繋ぐ縦壁とからなり、前記縦壁は、前記ヒンジ部から前記注出口へ掛けて徐々に高くなっていることを特徴としている。
【００１２】
請求項２に記載の発明では、弾性圧潰部を、略階段状に設け、上部環状壁及び下部環状壁と上部環状壁と下部環状壁を繋ぐ縦壁とで構成し、ヒンジ部から注出口へ掛けて縦壁の高さを徐々に高くしている。
【００１３】
これにより、ヒンジ部側を弾性変形し難くすると共に、注出口側に位置する弾性圧潰部側を弾性変形し易くしている。また、弾性圧潰部を上部環状壁、縦壁及び下部環状壁によって略階段状に設けることで、例えば、一つの環状壁のみが弾性変形する場合と比較して、押圧によって蓄積される弾性力を高めることができる。
【００１４】
このため、復元力を増大させることができ、押圧部を押圧した後、押圧部の形状をすぐに復元させることができる。つまり、注出口内に溜まった液体がすぐに容器内へ吸い戻されるため、注出口から注出された液体の切れが良く、また、液だれし難くなる。
【００１５】
請求項３に記載の発明は、請求項1又は２に記載のキャップにおいて、前記注出口から液体が注出する方向に対して直交する方向に沿って前記ヒンジ部が形成されたことを特徴としている。
【００１６】
請求項３に記載の発明では、注出口から液体が注出する方向に対して直交する方向に沿ってヒンジ部を形成することで、押圧部を押圧したときに押圧部が左右方向に傾かないようにすることができる。
【００１７】
請求項４に記載の発明は、請求項１〜３の何れか１項に記載のキャップにおいて、前記押圧部の左右方向の倒れを防止する倒れ防止壁が、前記ヒンジ部に並行してヒンジ部の裏面に形成されたことを特徴としている。
【００１８】
請求項４に記載の発明では、押圧部の左右方向の倒れを防止する倒れ防止壁を、ヒンジ部の裏面に設けることで、ヒンジ部側の剛性を高め、請求項３に記載の発明の効果をさらに向上させることができ、押圧部を押圧するときの安定感が向上する。
【００１９】
請求項５に記載の発明は、請求項１〜４の何れか１項に記載のキャップにおいて、前記押圧部は、前記ヒンジ部から前記弾性圧潰部に掛けて略長円状のドーム型を成していることを特徴としている。
【００２０】
請求項５に記載の発明では、押圧部の形状を、ヒンジ部から弾性圧潰部に掛けて略長円状とすることで、指先の形状に合わせた形にして、押圧部を押圧しやすくしている。
【００２１】
請求項６に記載の発明は、請求項２〜５の何れか１項に記載のキャップにおいて、前記上部環状壁及び前記下部環状壁の幅寸法は、前記縦壁の高さよりも大きいことを特徴としている。
【００２２】
請求項６に記載の発明では、上部環状壁及び下部環状壁の幅寸法を、縦壁の高さよりも大きくすることで、上部環状壁及び下部環状壁を縦壁よりも弾性変形しやすくして、押圧部の操作性を良くしている。
【発明の効果】
【００２３】
本発明のキャップは上記構成としたので、請求項１に記載の発明では、押圧部の、注出口側に弾性圧潰部を設け、注出口の反対側にヒンジ部を設けており、弾性圧潰部と注出口を押圧部の同じ側に配置することで、力が負荷される領域を弾性変形させるようにしている。このため、力が負荷される方向と押圧部が弾性変形する方向とが同じになるので、押圧部を違和感なく操作することができ、操作性が良い。
【００２４】
請求項２に記載の発明では、ヒンジ部側を弾性変形し難くすると共に、注出口側に位置する弾性圧潰部側を弾性変形し易くしている。また、弾性圧潰部を上部環状壁、縦壁及び下部環状壁によって略階段状に設けることで、復元力を増大させることができ、押圧部を押圧した後、押圧部の形状をすぐに復元させることができ、注出口内に溜まった液体はすぐに容器内へ吸い戻されるため、注出口から注出された液体の切れが良く、また、液だれし難くなる。
【００２５】
請求項３に記載の発明では、注出口から液体が注出する方向に対して直交する方向に沿ってヒンジ部を形成することで、押圧部を押圧したときに押圧部が左右方向に傾かないようにすることができる。
【００２６】
請求項４に記載の発明では、押圧部の左右方向の倒れを防止する倒れ防止壁を、ヒンジ部の裏面に設けることで、ヒンジ部側の剛性を高め、請求項３に記載の発明の効果をさらに向上させることができ、押圧部を押圧するときの安定感が向上する。
【００２７】
請求項５に記載の発明では、押圧部の形状を、ヒンジ部から弾性圧潰部に掛けて略長円状とすることで、指先の形状に合わせた形にして、押圧部を押圧しやすくしている。
【００２８】
請求項６に記載の発明では、上部環状壁及び下部環状壁の幅寸法を、縦壁の高さよりも大きくすることで、上部環状壁及び下部環状壁を縦壁よりも弾性変形しやすくして、押圧部の操作性を良くしている。
【発明を実施するための最良の形態】
【００２９】
以下、図面を参照して本発明の実施の形態に係るキャップについて説明する。
【００３０】
図１及び図２には合成樹脂製の略円筒状のキャップ１０が示されている。キャップ本体１６の内周面には、雌溝１６Ａ（図３参照）が形成されており、ラー油等の液体調味料が充填された容器１２（図５参照）の口部（図示省略）に形成された雄溝に螺号して、口部を覆うようになっている。
【００３１】
キャップ本体１６の上面には、外周部に掛り部２２を残して蓋係合段部２４が凸設しており、蓋係合段部２４の中央には筒部２６が形成されている。この筒部２６からはノズル状の注出口２８が斜め上方へ突出し、筒部２６の上部には押圧部３０が設けられている。
【００３２】
そして、注出口２８と押圧部３０との間には、注出口２８と押圧部３０とを区画する隔壁部４０（後述する）が蓋係合段部２４の上面から立設している。
【００３３】
ところで、押圧部３０は、略ドーム状のボタン部４６と、注出口２８側のボタン部４６の周りに設けられた略階段状の弾性圧潰部４８と、注出口２８の反対側に設けられたヒンジ部５０と、を備えている。
【００３４】
ボタン部４６は、平面視にて（図４参照）ヒンジ部５０から注出口２８側へ向かって略長円状に形成され、また、側面視にて（図５参照）ヒンジ部５０から注出口２８側へ向かって徐々に高くなっている。
【００３５】
一方、図３に示すように、弾性圧潰部４８はボタン部４６の基部と連設する上部環状壁４８Ａと上部環状壁４８Ａよりも一段下がった位置に配置された下部環状壁４８Ｂと上部環状壁４８Ａと下部環状壁４８Ｂを繋ぐ縦壁４８Ｃとからなっており、上部環状壁４８Ａ、下部環状壁４８Ｂ及び縦壁４８Ｃは、筒部２６よりも薄肉となっている。さらに、上部環状壁４８Ａ及び下部環状壁４８Ｂは縦壁４８Ｃと略同一の肉厚となっており、上部環状壁４８Ａの幅寸法（Ｗ1）及び下部環状壁４８Ｂの幅寸法（Ｗ2）は、縦壁４８Ｃの高さ（Ｈ）よりも大きくなっている。
【００３６】
また、縦壁４８Ｃの高さは、ヒンジ部５０から弾性圧潰部４８へ掛けて徐々に高くなっており、ヒンジ部５０では、上部環状壁４８Ａと下部環状壁４８Ｂとが略面一となっている。また、ヒンジ部５０は注出口２８から液体が注出する方向に対して直交する方向に沿って略直線上に形成されており、ヒンジ部５０の裏面側には、下部環状壁４８Ｂと筒部２６の境界部に、ヒンジ部５０と並行に倒れ防止壁５２が形成されている。
【００３７】
一方、図１に示すように、注出口２８の突出側を正面としたキャップ本体１６の図中左側には、一対の連結片３２が所定間隔を置いて突出しており、長手方向の中央部には薄肉のヒンジ部３２Ａが設けられ、連結片３２を屈曲可能としている。連結片３２間には、後述する弾性片３８が設けられている。この連結片３２の先端部に円盤状の蓋３４が連結され、キャップ本体１６の上面を開閉できるようになっている（なお、図１及び図２以外の図面では、便宜上、蓋３４の図を省略している）。
【００３８】
蓋３４の内径は、蓋係合段部２４の径寸法よりも僅かに大きくなるように形成されており、蓋３４の閉塞時に蓋係合段部２４に嵌合させてロックできるようになっている。また、ヒンジ部３２と対向する蓋３４の外周縁には、蓋３４の開放操作時に指を引っ掛けるための鍔部３６が突設されている。
【００３９】
図１及び図２に示すように、蓋３４とキャップ本体１６には、蓋３４及びキャップ本体１６の一部（ヒンジ部３２の間）を切り抜いて形成された前述の弾性片３８が架設されている。
【００４０】
この弾性片３８は、薄板状で長手方向（蓋３４の開閉方向）の略中間部が略直角に屈曲し、蓋３４の開閉動作に伴って両端が引き離され（または戻され）て弾性変形する構造であり、これによって、蓋３４に付勢力を生じさせるようになっている。
【００４１】
そして、ここでは、蓋３４の動作範囲のほぼ中間点において、弾性片３８に蓄積された弾性力が最大となる。この中間点を境とした蓋３４の開放又は閉塞方向への移動では、弾性片３８の付勢力（復元力）により、移動速度が加速され、所定位置で弾性片３８が復元した状態で蓋３４は保持される。
【００４２】
一方、蓋３４内側の前方寄り（注出口２８側）には、蓋３４がキャップ本体１６の上面を覆った状態で、前述した隔壁部４０の壁面に摺接する補助壁部４２が立設している。
【００４３】
まず、キャップ本体１６側の隔壁部４０から説明すると、隔壁部４０は、ヒンジ部３２を介して動作する蓋３４の開閉方向に沿った向きで形成され、且つ、キャップ本体１６の上面を横断して両側端部が蓋係合段部２４の外周にほぼ達する幅寸法とされており、蓋３４を完全に閉じた状態で、蓋３４内面との間に少し隙間ができる高さ寸法となっている。
【００４４】
一方、蓋３４に設けられた補助壁部４２は、蓋３４の開閉方向に沿った向きに、すなわち、隔壁部４０に対して平行で、蓋３４が閉じた状態で、隔壁部４０の押圧部３０側の壁面に摺接する位置に形成されており、蓋３４の内側を横断して両側端部が蓋３４の周壁に繋がっている。
【００４５】
そして、補助壁部４２の幅方向中央には、蓋３４を閉じたときに補助壁部４２上面が筒部２６に当たらないようにする逃げとしての矩形状の切欠き４４が形成され、この切欠き４４の両側に位置する壁部の高さは、蓋３４を完全に閉じた状態で、蓋係合段部２４との間に少し隙間ができる寸法とされている。
【００４６】
このため、キャップ１０の蓋３４を、キャップ本体１６の蓋係合段部２４に嵌合させて完全に閉塞させると、蓋３４の周縁部３４Ａが掛り部２２に当接しキャップ本体１６上面はほぼ密閉された状態となり、注出口２８は蓋３４の周壁に塞がれ、液漏れが防止される。
【００４７】
この状態で、蓋３４によって覆われたキャップ本体１６の上部空間は、隔壁部４０及び補助壁部４２により押圧部３０側と注出口２８側とに分割されるため、注出口２８付近の液体が押圧部３０側へ流れ込むことはない。
【００４８】
このため、容器１２内の調味料を攪拌するため容器１２を振ったとしても、注出口２８付近から押圧部３０へ流れ込もうとする残留液は、隔壁部４０と補助壁部４２によって塞き止められることとなり、押圧部３０への液体の付着は防止され、押圧部３０が液体によって汚れることはない。
【００４９】
また、蓋３４が閉塞された状態で捻られるなどした場合でも、隔壁部４０と補助壁部４２との接触により、該捻り力に対する抵抗力が発生する。この隔壁部４０及び補助壁部４２は、キャップ本体１６の上面及び蓋３４の内側を横断して接触幅（面積）が大きくなっており、これによって、捻りへの抵抗力が増大する。よって、捻り力によるヒンジ部３２に掛かる負荷は大幅に低減され、ヒンジ部３２の破損等が起こりにくくなる。
【００５０】
次に、本実施の形態に係るキャップ１０の作用を説明する。
【００５１】
図１及び図２に示すように、押圧部３０には、注出口２８側に弾性圧潰部４８を設け、注出口２８の反対側にヒンジ部５０を設けている。これにより、弾性圧潰部４８と注出口２８は押圧部３０の同じ側に位置することとなる。このため、図５及び図６（Ａ）〜（Ｃ）に示すように、ボタン部４６を押圧する（矢印Ａ方向）と、ヒンジ部５０を回転中心として押圧部３０が回転する（矢印Ｂ方向）と共に、弾性圧潰部４８が弾性変形する。
【００５２】
これにより、ボタン部４６が沈む込み、容器１２内が加圧される。このとき注出口２８を下方へ向けて容器１２を傾けると、キャップ１０側へ移動した液体が注出口２８から注出される。そして、ボタン部４６への押圧力を解除すると、押圧部３０は弾性圧潰部４８の復元力により元の状態に復帰して（図６（Ａ）参照）、次の注出操作が可能となる。
【００５３】
ところで、ボタン部４６を押圧するとき、通常、注出口２８側に力が入るように指先で押圧する。このとき、ボタン部４６には矢印Ａ方向への力が負荷され、押圧部３０の注出口２８側に位置する弾性圧潰部４８がヒンジ部５０を中心に矢印Ｂ方向へ弾性変形して容器１２内を加圧し、注出口２８から液体を注出させる。
【００５４】
つまり、本発明では、押圧部３０において、指先によって力が負荷される側を弾性変形させるようにしているため、指先によって力が負荷される方向（矢印Ａ方向）と押圧部３０が弾性変形する方向（矢印Ｂ方向）とが同じになる。このため、ボタン部４６を違和感なく操作することができ、操作性が良い。
【００５５】
また、弾性圧潰部４８を、略階段状に設け、ヒンジ部５０から弾性圧潰部４８へ掛けて縦壁４８Ｃの高さを徐々に高くし、ヒンジ部５０では、上部環状壁４８Ａ及び下部環状壁４８Ｂを略面一となるようにしている。
【００５６】
これにより、ヒンジ部５０側を弾性変形し難くすると共に、弾性圧潰部４８側を弾性変形し易くしている。また、弾性圧潰部４８を上部環状壁４８Ａ、縦壁４８Ｃ及び下部環状壁４８Ｂによって略階段状に設けることで、例えば、一つの環状壁のみが弾性変形する場合と比較して、押圧によって蓄積される弾性力を高めることができる。
【００５７】
このため、弾性圧潰部４８の復元力を増大させることができ、ボタン部４６を押圧した後、押圧部３０の形状をすぐに復元させることができる。つまり、注出口２８内に溜まった液体がすぐに容器１２内へ吸い戻されるため、注出口２８から注出された液体の切れが良く、また、液だれし難くなる。
【００５８】
また、図６（Ａ）に示すように、上部環状壁４８Ａ及び下部環状壁４８Ｂと縦壁４８Ｃとを略同一の肉厚とすることで、適度な剛性感とボタン部４６の操作時の安定性を得ることができる。また、上部環状壁４８Ａの幅寸法（Ｗ1）及び下部環状壁４８Ｂの幅寸法（Ｗ2）を、縦壁４８Ｃの高さ（Ｈ）よりも大きくすることで、図６（Ｂ）、（Ｃ）に示すように、上部環状壁４８Ａ及び下部環状壁４８Ｂを縦壁４８Ｃよりも弾性変形しやすくして、ボタン部４６の操作性を良くしている。
【００５９】
さらに、図４に示すように、ボタン部４６の形状を、ヒンジ部５０から弾性圧潰部４８に掛けて略長円状とすることで、指先の形状に合わせた形にして、ボタン部４６を押圧しやすくしている。
【００６０】
また、注出口２８から液体が注出する方向に対して直交する方向に沿ってヒンジ部５０を形成しており、ボタン部４６を押圧したときに押圧部３０が左右方向に傾かないようにすることができる。
【００６１】
さらに、図３に示すように、ヒンジ部５０の裏面側に倒れ防止壁５２を設けることで、ヒンジ部５０側の剛性を高め、押圧部３０の左右方向の倒れを確実に防止すると共に、押圧部３０を押圧するときの安定感が向上する。
【００６２】
なお、本形態はあくまでも一実施例であり、本発明の主旨を逸脱しない範囲内において適宜変更可能であることは言うまでもない。本発明では、ボタン部４６を押圧する方向と弾性圧潰部４８が弾性変形する方向とが略同じであれば良いため、ボタン部４６の形状又は弾性圧潰部４８の形状はこれに限るものではない。
【００６３】
例えば、弾性圧潰部４８を、階段状とし、上部環状壁４８Ａ、下部環状壁４８Ｂ及び上部環状壁４８Ａと下部環状壁４８Ｂを繋ぐ縦壁４８Ｃで構成したが、ボタン部４６を押圧したときに要求される弾性力等によっては、必ずしも階段状である必要はない。
【００６４】
また、上部環状壁４８Ａ、下部環状壁４８Ｂ及び縦壁４８Ｃにおいて、弾性変形させる箇所及び順番等によっては、それぞれの肉厚及び幅寸法等を変更しても良い。例えば、上部環状壁４８Ａ及び下部環状壁４８Ｂの肉厚を該縦壁４８Ｃよりも薄肉にした場合、弾性圧潰部４８をさらに弾性変形し易くすることができるため、ボタン部４６が小さい場合のボタン部４６の操作性の向上に繋がる。
【００６５】
さらに、本発明では、ヒンジ部３２を介してキャップ本体１６と蓋３４とを連結し一体に設けるようにしたが、必ずしも一体である必要はなく、別体としても良い。また、本発明を液体調味料以外の化粧品、シャンプー等のキャップとして用いても勿論良い。
【図面の簡単な説明】
【００６６】
【図１】本発明の実施の形態に係るキャップの蓋が開いた状態の斜視図である。
【図２】本発明の実施の形態に係るキャップの蓋が開いた状態であり、図１の裏面側から見た斜視図である。
【図３】本発明の実施の形態に係るキャップの断面図である。
【図４】本発明の実施の形態に係るキャップの平面図である。
【図５】本発明の実施の形態に係るキャップの側面図である。
【図６】（Ａ）〜（Ｃ）は、本発明の実施の形態に係るキャップの押圧部の拡大断面図であり、弾性圧潰部が弾性変形する過程を示している。
【図７】（Ａ）は、従来のキャップの押圧部の拡大断面図であり、押圧部が弾性変形する前の状態を示し、（Ｂ）は押圧部が弾性変形した状態を示している。
【符号の説明】
【００６７】
１０    キャップ
１６    キャップ本体
２６    筒部
２８    注出口
３０    押圧部
４６    ボタン部（押圧部）
４８    弾性圧潰部（押圧部）
４８Ａ  上部環状壁（弾性圧潰部）
４８Ｂ  下部環状壁（弾性圧潰部）
４８Ｃ  縦壁（弾性圧潰部）
５０    ヒンジ部
５２    倒れ防止壁
【図１】
2006123998.tif 000003
【図２】
2006123998.tif 000004
【図３】
2006123998.tif 000005
【図４】
2006123998.tif 000006
【図５】
2006123998.tif 000007
【図６】
2006123998.tif 000008
【図７】
2006123998.tif 000009